(57)【特許請求の範囲】
【請求項１】
筒状織物の内側に樹脂またはゴムからなるシール層を内貼りして構成されている消防ホースにおいて、前記筒状織物の織組織を綾織りとし、かつ、該筒状織物の経糸を互いに伸度が伸度差３〜１０％を有して異なっている２種類の糸条から構成すると共に、該２種類の糸条を１乃至数本毎に交互に配列したことを特徴とする消防ホース。
【請求項２】
前記２種類の糸条のうち高伸度側の糸条が染色糸条である請求項１記載の消防ホース。
【発明の詳細な説明】
【０００１】
【発明の属する技術分野】
本発明は消防ホースに関し、さらに詳しくは、耐摩耗性に優れた消防ホースに関する。
【０００２】
【従来の技術】
火災時の消火作業現場では、消防ホースは路上に展張され、火勢の状況に応じて消防士が放水ノズルを移動するたびに路上を引きずり廻される。そのため、消防ホースは路面との摩擦により損傷するため、耐摩耗性に優れていることが望まれている。
【０００３】
従来、消防ホースの耐摩耗対策としては、外側の筒状織物の織構造を綾織にすると共に、その綾織の経糸露出割合が大きい綾面側をホース外側にするようにしたものが一般的である。しかし、ホースの耐摩耗性はホースにとって寿命を左右する重要な特性であるため、さらに高い耐摩耗性を向上することが求められている。
【０００４】
【発明が解決しようとする課題】
本発明の目的は、耐摩耗性を一層向上するようにした消防ホースを提供することにある。
【０００５】
【課題を解決するための手段】
上記目的を達成するため、本発明の消防ホースは、筒状織物の内側に樹脂またはゴムからなるシール層を内貼りして構成されている消防ホースにおいて、前記筒状織物の織組織を綾織りとし、かつ、該筒状織物の経糸を互いに伸度が伸度差３〜１０％を有して異なっている２種類の糸条から構成すると共に、該２種類の糸条を１乃至数本毎に交互に配列したことを特徴とするものである。
【０００７】
上記のように筒状織物の経糸を互いに伸度が伸度差３〜１０％を有して異なっている２種類の糸条から構成したことにより、通水によりホースを長手方向に伸長するように荷重が作用するとき、その荷重を低伸度側の糸はほぼ伸びきった状態になって支持するが、高伸度側の糸は更に伸び可能な余裕状態で支持することになる。したがって、ホースが路面を引きずられて摩擦力を受けると、高伸度側の糸が伸びによって摩擦力を吸収し、摩耗を防止するように作用する。その結果、低伸度糸だけなどの伸度の同じ糸条の１種を使用して筒状織物を構成した場合と比べると、耐摩耗性が向上したと同様な効果が得られる。
【０００８】
【発明の実施の形態】
本発明の消防ホースにおいて、ホースを構成する筒状織物は、その経糸が２種類の伸度が互いに異なる糸条から構成されている。ここで伸度とは、破断伸度を意味する。
【０００９】
伸度が互いに異なる糸条から構成される経糸の形態としては、互いに伸度が伸度差３〜１０％を有して異なる２種類の独立した糸条を配置するものである。
【００１０】
前者のように、経糸を互いに伸度が異なる２種類の独立した糸条から構成する場合は、高伸度糸と低伸度糸とを１〜複数本毎に交互に配列するようにする。好ましくは、高伸度糸と低伸度糸を２〜５本毎に交互に配列するようにしたものがよい。この交互の配列のしかたは、必ずしも同じ本数ずつを交互に配列する必要はなく、ランダムに本数を変えながら交互に配列するものであってもよい。
【００１１】
上記のように構成される経糸は、合成繊維フィラメントの撚糸であってもよく、あるいは、合成繊維または天然繊維の短繊維からなる紡績糸であってもよい。例えば、合成繊維フィラメント糸条の場合には、延伸条件、熱セット条件、加撚条件などを選択することにより伸度の調整を行うことができる。また紡績糸の場合は、短繊維の長さや加撚条件などを選択することにより伸度を調整することができる。
【００１２】
特に撚りは、糸条間に伸度差を与える手段として有効であり、糸条に与える撚数を異ならせだけで伸度差を与えることができる。すなわち、撚数の多い高撚糸にすると伸度を大きくすることができ、撚数の少ない低撚糸にすると伸度を小さくすることができる。
【００１３】
また、伸度の調整は、製糸後の複数の同一糸条間において、一方を染色処理した染色糸とし、他方を染色処理せずに無染色糸とすることによっても達成することができる。すなわち、同一種類の糸条に対する染色処理の有無により、染色糸は無染色糸に比べて伸度を大きくすることができるからである。このような染色糸と無染色糸との組合せを２種類の経糸とする場合には、ホース外観を色々な着色模様の異なる状態にし、その着色状態の違いによってホースの識別を行うようにすることができる。
【００１４】
伸度が互いに異なる２種類の独立した糸条間の伸度差としては、３〜１０％にすることが重要である。伸度差が、１％未満などと３％を大きく下回ると、高伸度側の糸に伸びの余裕を与えることが難しくなり、耐摩耗性の向上に対する寄与度が低下する。また、伸度差が１０％よりも大きいと、ホース強度に影響を生ずるようになる。
【００１５】
筒状織物の織組織は、特に綾織を使用することが重要である。綾織は、経糸が緯糸を複数本の単位で飛び越すようにした織組織であるため、その経糸が飛び越す綾面側をホースの外側にすることにより路面との接触面積を増大し、耐摩耗性の向上に寄与するからである。この綾織組織が、上述した経糸の伸度差と相乗することにより、一層高い耐摩耗性を発揮することができる。
【００１６】
図１（Ａ），（Ｂ）は、本発明の消防ホースの要部を拡大して例示したものであり、図２は図１の本発明の消防ホースの一部を例示したものである。
【００１７】
消防ホース１０は、図２に示すように、筒状織物１の内側に樹脂又はゴムからなるシール層２を内貼りして構成されている。この消防ホース１０の外層側を構成する筒状織物１は、図１（Ａ），（Ｂ）に示すように、経糸３と緯糸４とが２／１の綾織構造をなし、かつ綾面をホース外側になるようにしている。その筒状織物１の内側にシール層２が積層されている。この筒状織物１の経糸３は、高伸度糸条３ａと低伸度糸条３ｂとの互いに伸度差を有する２種類の糸から構成され、それぞれ２本ずつが交互に配列している。
【００１８】
図示の例では、高伸度糸条３ａと低伸度糸条３ｂの配列を、それぞれ２本ずつを交互に並べるようにしているが、高伸度糸条３ａを２本、低伸度糸条３ｂを３本にして交互に並べるなど任意の本数ずつの組合せにしてよい。また、高伸度糸条３ａと低伸度糸条３ｂとの配列本数は、必ずしも規則的になっている必要はなく、それぞれ適宜配列本数を変えてランダムに配列してもによい。
【００１９】
このような筒状織物１を有する消防ホース１０に、規定の圧力で通水することにより放水すると、長手方向に引張荷重が発生して消防ホース１０は伸長する。この伸長荷重を、低伸度糸条３ｂはほぼ限界まで伸長して支持するが、高伸度糸条３ａの方は、なお伸長余裕状態で支持する。したがって、消防ホース１０が路面を擦過するとき、その摩擦力を高伸度糸条３ａが伸びによって吸収するため、耐摩耗性の向上に寄与することができる。
【００２１】
【発明の効果】
上述したように本発明の消防ホースによれば、筒状織物の織組織を綾織りとし、かつ、該筒状織物の経糸を互いに伸度が伸度差３〜１０％を有して異なっている２種類の糸条から構成すると共に、該２種類の糸条を１乃至数本毎に交互に配列して構成したことにより、通水によりホースを長手方向に伸長するように荷重が作用するとき、その荷重を低伸度側の糸はほぼ伸びきった状態になって支持するが、高伸度側の糸は更に伸び可能な余裕状態で支持するため、ホースが路面を引きずられて摩擦力を受けるとき、高伸度側の糸が伸びによって摩擦力を吸収し摩耗を防止することができる。
【図面の簡単な説明】
【図１】本発明の消防ホースの要部を拡大して例示し、（Ａ）は平面図、（Ｂ）は（Ａ）におけるＸ−Ｘ矢視断面図である。
【図２】本発明の消防ホースの一部を拡大して例示する斜視図である。
【符号の説明】
１  筒状織物
２  シール層
３  経糸
３ａ  高伸度糸条
３ｂ  低伸度糸条
４  緯糸
１０  消防ホース
【図１】
0004948723.tif 000002
【図２】
0004948723.tif 000003